(57)【要約】      （修正有）【課題】調理をする側の人や運んだり、配膳したりする人であっても、誰も触っていない場所に口を着けて気持ちよくスープを飲んだり飲食したりでき、又、家庭においても料理をする側の人が触っていない場所に口を着けて気持ちよくスープを飲んだり飲食したりできる丼、椀、皿、鉢を提供する。【解決手段】丼、椀、皿、鉢の全周の１／２以内の範囲に調理又は料理をする側の人又はサービスを提供する人が掴む場所を意味する表示部２を設けたものであり、又は、表示部２を丼、椀、皿、鉢の縁部に設けたものであり、更には、表示部２を丼、椀、皿、鉢の縁部近傍に設けたものである。【選択図】図１
0003179989.tif 000002
【実用新案登録請求の範囲】
【請求項１】
調理又は料理をした食べ物を食すための丼、椀、皿、鉢であって、前記丼、椀、皿、鉢の全周の１／２以内の範囲に調理又は料理をする側の人又はサービスを提供する人が掴む場所を意味する表示部を設けたことを特徴とする丼、椀、皿、鉢。
【請求項２】
前記表示部を前記丼、椀、皿、鉢の縁部に設けたことを特徴とする請求項１に記載の丼、椀、皿、鉢。
【請求項３】
前記表示部を前記丼、椀、皿、鉢の縁部近傍に設けたことを特徴とする請求項１又は請求項２に記載の丼、椀、皿、鉢。
【考案の詳細な説明】
【技術分野】
【０００１】  本考案は、丼、椀、皿、鉢に関するものであり、更に詳細には、飲食店、企業の食堂、学校の食堂等で調理された食べ物を入れて食すための食器である調理用の丼、椀、皿、鉢、又は、家庭で料理された食べ物を入れて食すための食器である料理用の丼、椀、皿、鉢に関するものである。
【背景技術】
【０００２】  この種の調理用又は料理用の丼、椀、皿、鉢は、各飲食店や社員食堂や学童食堂及び家庭等に大量に用意されておりその数は無限大に近いもので、その一つ一つが調理や料理した食べ物を食すのに役立っているが、例えば、料理店等で食べる人の前で差し出す時は丼、椀、皿、鉢の外側を両側から両手で挟むようにして持ち上げて差し出しているけど、特に、調理中には各工程の流れにより単数又は複数の調理人が流れ作業のように丼、椀、皿、鉢を移動させながら盛りつけたり注いだりして調理をしており、その殆どは時間的、数的な制約から、片手で縁部又はその近傍の内側と外側とを親指と人差し指で挟持して移動させるか、縁部に親指をかけて他の指を底部方向に沿えて移動させている実情である。【０００３】  近年では、衛生的観念も向上しており、衛生上は問題がないものの、お客の心境としては、例え、調理人やサービスを提供する人であっても他人が素手で掴んだ場所に口を当てて飲食はしたくないものであるが、防ぐ手段が無く何となく我慢させられてきた。【０００４】  例えば、先に開示されている食器に表示部を設けているものとして、食器の外側か内側、または両方に「おかわり」、「もう一杯」、「食器を下げて欲しい」などを意味する言葉や模様を入れるもの（特許文献１参照）や、陶磁器内の所望の部位に模様や記号を転着して内容物の充填高さを確実に調整可能にし、繰り返し使用できる食器を提供可能にするものである。記号を模様、線、点線、鎖線、色線にして、内容物の充填高さを確実に調整可能にしたり、前記模様は成人、子供、幼児の絵柄にして、楽しく使用出来るようにしたもの（特許文献２参照）や、食品を収容する食器であって、体内で所定のエネルギーを得るために摂取されるべき食品の重量を表示するための表示手段が設けられてなるもの（特許文献３参照）等が開示されている。
【特許文献１】特開２０１０−２２７７９号公報
【特許文献２】登録実用新案第３１４５５７７号公報
【特許文献３】登録実用新案第３０６７７０４号公報
【考案の開示】
【考案が解決しようとする課題】
【０００５】  然し乍ら、前述の開示されている特許文献１〜３では、夫々食器に表示手段を設けているものであるが、口で言う代わりに表示しているものや、カロリーの摂取を控えるための表示手段であり、調理をする側の人又は料理をする側の人が掴む範囲を表示したものでは無いものである。
【課題を解決するための手段】
【０００６】  本考案は前記課題に鑑み、鋭意研鑽の結果、これらの課題を解決するもので、丼、椀、皿、鉢の全周の１／２以内の範囲に調理又は料理をする側の人又はサービスを提供する人が掴む場所を意味する表示部を設けたものであり、更に、表示部を丼、椀、皿、鉢の縁部に設けたものであり、更には、表示部を丼、椀、皿、鉢の縁部近傍に設けたものである。
【考案の効果】
【０００７】  本考案の丼、椀、皿、鉢は、飲食店、企業の食堂、学校の食堂等で調理された食べ物を入れて食すための食器、又は、家庭で料理された食べ物を入れて食すための食器であり、その全周の１／２以内の範囲に調理をする側の人又は料理をする側の人又はサービスを提供する人が掴む場所を意味する表示部を設けたことにより、調理や料理をする人やサービスを提供する人はお客に遠慮することなく掴む場所を意味する表示部を掴み、効率よく調理ができ、お客は誰も触っていない場所に口を着けて気持ちよくスープを飲んだり飲食したりできるもので、又、家庭においても料理をする側の人が触っていない場所に口を着けて気持ちよくスープを飲んだり飲食したりできるもので、画期的で実用性の高い有効な考案である。
【考案を実施するための最良の形態】
【０００８】  以下、本考案の丼、椀、皿、鉢の実施の形態を図面によって具体的に説明すると、図１は本考案の丼、椀、皿、鉢の実施例の斜視図であり、図２は本考案の丼、椀、皿、鉢の実施例の斜視図であり、図３は本考案の丼、椀、皿、鉢の次実施例の平面図である。【０００９】  本考案は、丼、椀、皿、鉢に関するものであり、更に詳細には、飲食店、企業の食堂、学校の食堂等で調理された食べ物を入れて食すための食器である調理用の丼、椀、皿、鉢、又は、家庭で料理された食べ物を入れて食すための食器である料理用の丼、椀、皿、鉢に関するものであり、請求項１に記載の丼、椀、皿、鉢は、調理又は料理をした食べ物を食すための丼、椀、皿、鉢１であって、前記丼、椀、皿、鉢の全周の１／２以内の範囲に調理又は料理をする側の人又はサービスを提供する人が掴む場所を意味する表示部を設けたことを特徴とするものである。【００１０】  更に、請求項２に記載の丼、椀、皿、鉢は、請求項１に記載の丼、椀、皿、鉢１において、前記表示部２を前記丼、椀、皿、鉢１の縁部１ａに設けたことを特徴とするものである。【００１１】  更には、請求項３に記載の丼、椀、皿、鉢は、請求項１又は請求項２に記載の丼、椀、皿、鉢１において、前記表示部２を前記丼、椀、皿、鉢１の縁部近傍１ｂに設けたことを特徴とするものである。
【実施例】
【００１２】  即ち、本考案の丼、椀、皿、鉢は、調理用のものとして、全国の飲食店、企業の食堂、学校の食堂等が大量に所有しているものであり、一般的に洗浄乾燥させて保管しており、飲食店では来客の都度、お客の注文する食べ物に合わせて適宜な丼、椀、皿、鉢１を取り出して調理しながら食べ物を綺麗に盛りつけたり、入れたりしており、又、企業の食堂、学校の食堂では、できあがった食べ物を適宜な丼、椀、皿、鉢１に盛りつけたり、入れたりしており、更に、料理用のものとしては、各家庭が所有しており、必要に応じて使用しているものである。【００１３】  そして、表示部２は、丼、椀、皿、鉢１の全周の１／２以内の範囲に設けているもので、つまり、丼、椀、皿、鉢１の平面視の中心点と縁部１ａとを通る任意の直線の片側、半分以内の範囲に設けるものであり、１／３前後の範囲に設けることがバランス的には好適なもので、丼、椀、皿、鉢１の縁部１ａでも、内側でも、外側でも構わないものである。【００１４】  更に、表示部２としては、色彩を変えて設けても、図柄や文様を変えることで設けても、店名や商品名など意味を有する文字を表示しても構わないもので、調理又は料理をする側の人又はサービスを提供する人と、食事を食す人が解る表示ならどんな表示でも構わないものである。【００１５】  更には、表示部２は、丼、椀、皿、鉢１の縁部１ａ又は縁部近傍１ｂに設けるものであり、表示部２は、調理又は料理をする側の人又はサービスを提供する人が掴む場所を意味するものである。【００１６】  加えて、次実施例の丼、椀、皿、鉢１の表示部２は、図３に図示するように、縁部１ａ及び縁部近傍１ｂに設けるものであり、縁部１ａと縁部近傍１ｂに跨って図柄、文様、色彩等を表示しても、縁部１ａと縁部近傍１ｂに別々の図柄、文様、色彩等を表示しても構わないものである。【００１７】  当初は、店頭などで当該丼、椀、皿、鉢１の表示部２の意味をチラシ、パンフレット、メニューなどで説明し、調理をする側の人や、できあがった食べ物を運んだり配膳をしたりするサービスを提供する人と、お客に浸透していくことにより、また、丼、椀、皿、鉢１を販売する陶器店、販売店や、丼、椀、皿、鉢１を製造するメーカーにおいても、広く表示部２の意味が認識されるようにすることにより、暗黙のルールが確立され調理をする側の人は遠慮することなく掴んで調理用の丼、椀、皿、鉢１を移動させて調理ができ、お客は誰も触っていない部位で飲食を楽しめるものである。【００１８】  更に、各飲食店が共通であり、日本中、世界中に当該丼、椀、皿、鉢１の表示部２の意味が認識されると、何処で調理される食べ物でも、調理をする側の人は気持ちよく調理でき、又は、サービスを提供する人も効率良く作業ができ、お客も気持ち良く飲食を楽しめるものである。【００１９】  また、丼、椀、皿、鉢１をお客に差し出す時も表示部２をお客から一番遠い位置にして載置することにより、お客はそのまま手前に引いて食べれば調理をする側の人、できあがった食べ物にサービスを提供してくれる人が掴んだ表示部２には触ることなく食せるものである。
【産業上の利用可能性】
【００２０】  本考案は、飲食店、企業の食堂、学校の食堂等で調理された食べ物を入れて食すための食器、又は、家庭で料理された食べ物を入れて食すための食器であり、その全周の１／２以内の範囲に調理又は料理をする側の人又はサービスを提供する人が掴む場所を意味する表示部を設けたことにより、サービスを提供する人を含む調理をする側の人はお客に遠慮することなく掴む場所を意味する表示部を掴み、効率よく調理ができ、お客は調理をする側の人や運んだり、配膳したりする人であっても、誰も触っていない場所に口を着けて気持ちよくスープを飲んだり飲食したりできるもので、又、家庭においても料理をする側の人が触っていない場所に口を着けて気持ちよくスープを飲んだり飲食したりできる丼、椀、皿、鉢を提供するものである。
【図面の簡単な説明】
【００２１】
【図１】  図１は本考案の丼、椀、皿、鉢の実施例の斜視図である。
【図２】  図２は本考案の丼、椀、皿、鉢の実施例の斜視図である。
【図３】  図３は本考案の丼、椀、皿、鉢の次実施例の平面図である。
【符号の説明】
【００２２】  １      丼、椀、皿、鉢
１ａ    縁部
１ｂ    縁部近傍
２      表示部
【図１】
0003179989.tif 000003
【図２】
0003179989.tif 000004
【図３】
0003179989.tif 000005